(57)【要約】      （修正有）【課題】電波シールド体を伸展及び収縮する際に、電波シールド体と導電性床面との摩擦を低減させた電波シールド構造を提供する。【解決手段】電波シールド構造は、磁気共鳴イメージング装置を含む空間を電波シールドするためのものであって、正面視して門形状の複数のシールドボックス体が、内部に磁気共鳴イメージング装置１００を覆い得る空間を形成するように水平方向に移動可能に嵌合連結された電波シールドボックス集合体２２０と、電波シールドボックス集合体と導通状態にあって、上下動可能な導通部材２７５と、床面３１０に設置された導電性床材３２０と、を備えて構成されている。電波シールドボックス集合体の展開時、または、展開時を含む展開前後に、導通部材を機械的構造によって導電性床材に接触させる。【選択図】図８
2019088470.tif 000002
【特許請求の範囲】
【請求項１】
磁気共鳴イメージング装置を含む空間を電波シールドするための電波シールド構造であって、
正面視して門形状の複数のシールドボックス体が、内部に前記磁気共鳴イメージング装置を覆い得る空間を形成するように水平方向に移動可能に嵌合連結された電波シールドボックス集合体と、
前記電波シールドボックス集合体と導通状態にあって、上下動可能な導通部材と、
床面に設置された導電性床材と、を備えて構成され、
前記電波シールドボックス集合体の展開時、または、展開時を含む展開前後に、前記導通部材を機械的構造によって前記導電性床材に接触させることを特徴とする電波シールド構造。
【請求項２】
前記電波シールドボックス集合体は、
前記複数のシールドボックス体の内壁に移動方向にそれぞれ摺動可能に延設されたスライドバーを有し、
前記スライドバーが、前記電波シールドボックス集合体の移動に合わせて移動し、所定位置に来たときに、前記導通部材を前記導電性床材に接触させることを特徴とする請求項１に記載の電波シールド構造。
【請求項３】
前記スライドバーの下面には、傾斜面を有する作動部が設けられ、
前記導通部材は、前記傾斜面に当接することで上下動する当接体を有する被作動部の作動に連動して上昇・下降することを特徴とする請求項２に記載の電波シールド構造。
【請求項４】
前記複数のシールドボックス体のうちの基端側シールドボックス体の先端側に配置されたシールドボックス体のスライドバーの後端部に、前記スライドバーの移動を規制する保持機構が設けられていることを特徴とする請求項１または請求項２に記載の電波シールド構造。
【請求項５】
前記複数のシールドボックス体の下端部には、キャスタを取り付けた下側枠フレームが設けられ、
前記被作動部と前記導通部材との間には、前記下側枠フレームに形成された貫通孔に上下動可能に挿通して配置された棒状部材が設けられ、
前記棒状部材には、一端を前記下側枠フレーム上に配置し、他端を前記棒状部材に設けた付勢部材受部に当接して配置されて、前記棒状部材を上方向に付勢する付勢部材が設けられていることを特徴とする請求項３に記載の電波シールド構造。
【請求項６】
前記スライドバーは、収納時に、前端が前記シールドボックス体の前端部に設けられた枠フレーム、あるいは、開口部補強枠に当接して後方に押されることで、前記保持機構の弾性保持部が係止突起とから分離して前記基端側シールドボックス体内に移動し、
展開時に、前方向に移動する前記先端側のシールドボックス体に引っ張られて前方向に移動して、前記スライドバーの後端の前記保持機構の弾性保持部が前記係止突起に係合して静止し、前記先端側のシールドボックス体が、さらに前方に移動して、前記枠フレーム、あるいは、前記開口部補強枠から分離していることを特徴とする請求項４に記載の電波シールド構造。
【発明の詳細な説明】
【技術分野】
【０００１】
本発明は、例えば、磁気共鳴イメージング装置を含む空間を電波シールドするための電波シールド構造に関する。
【背景技術】
【０００２】
磁気共鳴イメージング装置（以下、適宜「ＭＲＩ装置」という）を手術室内に置き、ＭＲＩ装置を用いてＭＲＩ撮影を行いながら手術や治療等を行う術中ＭＲＩ診断が知られている。このような手術室等内でＭＲＩ診断する際に使用される電波シールド装置としては、例えば、特許文献１〜３に記載された磁気共鳴イメージング装置用の電磁シールド構造が知られている。
【０００３】
特許文献１〜３に記載の電磁シールド構造は、ＭＲＩ装置から発生された電磁波が電磁シールド部材の外側に漏洩するのを阻止するための電磁シールド装置である。その電磁シールド装置は、ＭＲＩ装置と、ＭＲＩ装置で診断される患者が横たわるベッドと、を収容可能な蛇腹状の電磁シールド部材（シールドカーテン）と、電磁シールド部材が当接する導電性床材と、を備えている。
【０００４】
特許文献１の電磁シールド装置は、トンネル状シールドカーテンの下端部を導電性床板上に押し付けて接触状態にする押圧部材を備えることで、導電性床板の接地状態の維持、及び、電磁シールド性の向上を図っている。
【０００５】
また、特許文献２の電磁シールド装置は、門形状のフレームの下端と、床面に設けられた導電性床材との間に、導電性床材に当接する導電部材を介在することで、電磁シールド性の向上を図っている。
【０００６】
また、特許文献３の電磁シールド装置は、カーテン本体の下縁の全幅に亘って床面上に広がる扁平筒状袋を有する接触帯部を設けて、接触帯部を床面上のロア部材に強制的に接触させることで、電磁シールド性を向上させている。
【先行技術文献】
【特許文献】
【０００７】
【特許文献１】特開２０１３−４２０号公報
【特許文献２】特開２０１３−４８２１号公報
【特許文献３】特許第４４８５９０７号公報
【発明の概要】
【発明が解決しようとする課題】
【０００８】
しかし、特許文献１〜３の電磁シールド装置は、いずれも、電磁シールド部材（電磁波シールドカーテン、押圧部材、導電部材）と、導電性床材と、を常時接触させる構造となっている。このため、導電性床材に接触する電磁シールド部材（電波シールド体）は、導電性床材に対して常に摩擦抵抗がかかっている構造になっているので、摩耗したり、材料劣化したりして、導通状態が低化するという問題点があった。
【０００９】
本発明は、このような事情に鑑みてなされたものであり、電波シールド体を伸展及び収納する際に、電波シールド体と導電性床材との摩擦を低減させた電波シールド構造を提供することを目的とする。
【課題を解決するための手段】
【００１０】
前記目的を達成するために、本発明に係る電波シールド構造は、磁気共鳴イメージング装置を含む空間を電波シールドするための電波シールド構造であって、正面視して門形状の複数のシールドボックス体が、内部に前記磁気共鳴イメージング装置を覆い得る空間を形成するように水平方向に移動可能に嵌合連結された電波シールドボックス集合体と、前記電波シールドボックス集合体と導通状態にあって上下動可能な導通部材と、床面に設置された導電性床材と、を備えて構成され、前記電波シールドボックス集合体の展開時、または、展開時を含む展開前後に、前記導通部材を機械的構造によって前記導電性床材に接触させることを特徴とする。
【発明の効果】
【００１１】
本発明によれば、電波シールド体を伸展及び収縮する際に、電波シールド体と導電性床面との摩擦を低減させた電波シールド構造を提供することができる。
【図面の簡単な説明】
【００１２】
【図１】本発明の実施形態に係る電波シールド構造の設置状態の一例を示す正面図である。
【図２】電波シールド構造の収納状態を示す平面図である。
【図３】電波シールド構造の収納状態を示す一部断面を有する平面図である。
【図４】電波シールド構造の収納状態を示す左側面図である。
【図５】電波シールド構造の伸展状態を示す平面図である。
【図６】電波シールド構造の伸展状態を示す一部断面を有する平面図である。
【図７】電波シールド構造の伸展状態を示す左側面図である。
【図８】電波シールド構造の伸展状態を示す一部断面を有する左側面図である。
【図９】図８の下端部前側部分の拡大図である。
【図１０】図６のＡ部拡大図である。
【図１１】図６のＡ部拡大側面図である。
【図１２】図６のＢ部拡大図である。
【図１３】図６のＢ部拡大側面図である。
【図１４】図８のＣ部概略拡大図である。
【図１５】図８のＣ部拡大概略平面図である。
【図１６】図８のＣ部拡大概略正面図である。
【図１７】図１６のＤ部拡大図である。
【図１８】側面シールドパネル（シールドパネル）と導電性床板とが導通しているときの状態を示す要部拡大図である。
【図１９】本発明の実施形態に係る電波シールド構造の第１変形例を示す図であり、電波シールド構造の伸展状態を示す一部断面を有する概略左側面図である。
【図２０】図１９のＥ部拡大図である。
【図２１】図１９のＥ部概略拡大縦断面図である。
【図２２】図２１のフィンガーの拡大図である。
【図２３】図１９のＦ部拡大図である。
【図２４】図１９のＦ部概略拡大縦断面図である。
【図２５】図１９のＧ部拡大図である。
【図２６】本発明の実施形態に係る電波シールド構造の第２変形例を示す図であり、導通機構を示す要部概略図である。
【図２７】本発明の実施形態に係る電波シールド構造の第３変形例を示す図であり、導通機構を示す要部概略図である。
【発明を実施するための形態】
【００１３】
以下、本発明の実施形態について、適宜図面を参照しながら詳細に説明する。
なお、図２に示す電波シールド装置２００において、前面シールド体２６０がある側を前、配線ボックス２１０がある側を後、鉛直上方側を上、鉛直下方側を下、車幅方向を左、右として適宜説明する。また、電波シールド装置２００は、略左右対称であるため、右側を主に説明して、左側の説明を適宜省略する。
【００１４】
≪ＭＲＩ装置≫
ＭＲＩ装置１００（磁気共鳴イメージング装置）は、所定の静磁場下に置かれた患者（被検者）の被撮像部位に、所定のパルスシーケンスでＲＦパルス、傾斜磁場を印加することで発生したエコー信号を収集後処理して磁気共鳴画像を得る装置である。ＭＲＩ装置１００の一例として、オープン型の装置を例に挙げて説明する。ＭＲＩ装置１００は、例えば、患者の頭部等の被撮像部位を挿入するガントリー開口部１２０が形成された本体部１１０と、本体部１１０のガントリー開口部１２０の上下に対向して設置された磁石（図示省略）と、を備えている。図１、図５に示すように、ＭＲＩ装置１００と、ＭＲＩ装置用の電波シールド装置２００と、ベッドＢとは、例えば、脳外科等の手術を行う手術室３００内に設置されて、手術中に磁気共鳴画像を得ることが可能にしている。
【００１５】
≪手術室≫
図５に示すように、手術室３００の床面３１０上におけるＭＲＩ装置１００及びベッドＢを含む所定の領域には、配線ボックス２１０の下面から前方向に亘って敷設された導電性床板３２０が配置されている。
【００１６】
＜導電性床板＞
導電性床板３２０は、例えば、電磁波の反射損失が大きい銅合金板、非磁性ステンレス鋼板等の非磁性体の導電材料から成る。ＭＲＩ撮影を行う場合には、患者を載せた手術台兼用のベッドＢが導電性床板３２０の長手方向（前後方向）に沿うように導電性床板３２０上に移動させて配置される。導電性床板３２０は、平面視して、伸展した電波シールド装置２００よりも、前後方向及び左右方向の寸法が大きい長方形の平板材から成る。
【００１７】
≪電波シールド装置≫
図６に示すように、電波シールド装置２００は、ＭＲＩ装置１００を含む所定の撮影空間（空間２２０ａ）を覆うことによって、電波を遮蔽（電磁シールド）するものである。つまり、電波シールド装置２００は、ＭＲＩ撮影時に外部からの電磁波（ノイズ）を除去する役目と、ＭＲＩ装置１００から発生する電磁波が電波シールド装置２００外に漏洩してその周辺の周辺機器や、人員等に影響を及ぼすのを防ぐ役目と、を担っている。それ故、電波シールド装置２００内部での電気機器を使用すると電線を通じて電波が漏れる原因となるため避けることが望ましく、機械的な機構が求められる。
電波シールド装置２００は、ＭＲＩ撮影時に、電波シールドボックス集合体２２０を導電性床板３２０上に前後方向に伸展状態にして、ＭＲＩ装置１００と、患者が横たわるベッドＢ（図５参照）とを収容可能な状態にする。
その電波シールド装置２００は、基端側に配置された配線ボックス２１０と、配線ボックス２１０の前側に配置された電波シールドボックス集合体２２０と、電波シールドボックス集合体２２０の前側に連結された前面シールド体２６０と、電波シールドボックス集合体２２０と導電性床板３２０とを導通させる導通機構２７０と、を備えている。
【００１８】
≪配線ボックス≫
配線ボックス２１０は、ＭＲＩ装置１００を電源とを接続するための配線等が設けられた略箱形状の装置である。配線ボックス２１０は、手術室３００の壁３３０に固定されている。配線ボックス２１０の前面側には、電波シールドボックス集合体２２０の第１シールドボックス体２３０が設置されている。図１に示すように、配線ボックス２１０の上部には、フィルタボックス２１１が載設されている。図２及び図５に示すように、配線ボックス２１０の左右端部寄りの位置には、第１シールドボックス体２３０の前端部まで延びる天井レール２２６ａ（天井レール２２６）の後端部が設置されている。図４及び図７に示すように、配線ボックス２１０の左右下端部寄りの位置には、第１シールドボックス体２３０の前端部まで延びる側壁レール２２７ａ（側壁レール２２７）の後端部が設置されている。
【００１９】
≪電波シールドボックス集合体≫
図６に示すように、電波シールドボックス集合体２２０は、ＭＲＩ装置１００と、ベッドＢ（図５参照）とを収容する空間２２０ａを形成するための収納装置である。電波シールドボックス集合体２２０は、複数の門形状の電波シールドボックス体を前後方向に伸縮自在に連結した入れ子構造をした箱状連結体である。電波シールドボックス集合体２２０は、電波シールドボックス体が少なくとも２つ以上あればよく、その数は特に限定されない。以下、電波シールドボックス集合体２２０の一例として、電波シールドボックス体が３つある場合を例に挙げて説明する。
【００２０】
電波シールドボックス集合体２２０は、第１シールドボックス体２３０と、第２シールドボックス体２４０と、第３シールドボックス体２５０と、スライドバー２７１と、当接体２７４と、導通部材２７５と、を備えている。電波シールドボックス集合体２２０は、第１及び第２シールドボックス体２３０，２４０に対して第２及び第３シールドボックス体２４０，２５０を、内部にＭＲＩ装置１００を覆い得る空間２２０ａを形成するように水平方向に移動可能に嵌合連結している。
電波シールドボックス集合体２２０は、使用時に、図５〜図８に示すように、第２及び第３シールドボックス体２４０，２５０を前方向に移動させて伸展して、水平方向に並んで配置する。このように、電波シールドボックス集合体２２０は、使用時に、天井レール２２６と側壁レール２２７とによって伸縮可能に連結されて、内側にベッドＢを収容する空間２２０ａを形成可能になっている。
電波シールドボックス集合体２２０は、不使用時に、図２〜図４に示すように、第２及び第３シールドボックス体２４０，２５０を後方向に移動させて第１シールドボックス体２３０内に収容された状態にする。このように、電波シールドボックス集合体２２０は、不使用時に、天井レール２２６と側壁レール２２７とによって、電波シールドボックス集合体２２０全体を入れ子状に収縮可能になっている。
【００２１】
＜第１、第２及び第３シールドボックス体＞
第１、第２及び第３シールドボックス体２３０，２４０，２５０は、正面視して逆凹状に形成された箱体から成る。このため、第１〜第３シールドボックス体２３０，２４０，２５０は、前面、後面及び下面が開口している。電波シールドボックス集合体２２０（第１シールドボックス体２３０）の後側開口部（図示省略）は、配線ボックス２１０によって閉塞されている。電波シールドボックス集合体２２０（第３シールドボックス体２５０）の前側開口部２００ｂ（図１参照）は、前面シールド体２６０の開閉自在のシャッタ２６３（図１参照）によって閉塞される。電波シールドボックス集合体２２０（第１〜第３シールドボックス体２３０，２４０，２５０）の下側開口部（図示省略）は、収納時及び伸縮時に、導電性床板３２０によって閉塞されている。
【００２２】
図８に示すように、第１〜第３シールドボックス体２３０，２４０，２５０は、天井シールドパネル２２１と、左右の側面シールドパネル２２２と、前後梁２３１，２４１，２５１及び横梁２３２，２４２，２５２と、縦フレーム２２３及び横フレーム２２４と、枠フレーム２３５，２４９ａ，２４９ｂあるいは前面シールド体２６０と、によってそれぞれ門型状の箱体に形成されている。
また、移動可能な第２及び第３シールドボックス体２４０，２５０の下部には、スライドバー２７１と、下側枠フレーム２２５と、キャスタ２２８と、がそれぞれ設けられている。
【００２３】
図５に示すように、天井シールドパネル２２１は、第１〜第３シールドボックス体２３０，２４０，２５０のそれぞれの天井面を形成するステンレス鋼板から成る。第１及び第２シールドボックス体２３０，２４０の天井シールドパネル２２１には、第２及び第３シールドボックス体２４０，２５０の進退をガイドする天井レール２２６（天井レール２２６ａ及び天井レール２２６ｂの総称）が前後方向に延設されている。
【００２４】
図７に示すように、側面シールドパネル２２２は、第１〜第３シールドボックス体２３０，２４０，２５０の左右の側面をそれぞれ形成するステンレス鋼板から成る。
図５に示すように、前後梁２３１，２４１，２５１及び横梁２３２，２４２，２５２は、天井シールドパネル２２１を支持する下側から支持するステンレス製の骨格フレーム部材である。前後梁２３１，２４１，２５１は、それぞれの天井シールドパネル２２１の下面の中央部及び左右端部の三箇所に配置されて、前後方向に水平に延設されている。また、それぞれの天井シールドパネル２２１の上面の中央部には、前後方向に延設された平板状の繋ぎ板２３１ａ，２４１ａ，２５１ａが設けられている。
【００２５】
横梁２３２，２４２，２５２は、前後梁２３１，２４１，２５１に直交するように左右方向に水平に延設されている。第１及び第２シールドボックス体２３０，２４０の横梁２３２，２４２の左右端部寄りの位置には、第２及び第３シールドボックス体２４０，２５０の進退をガイドする天井レール２２６（天井レール２２６ａ及び天井レール２２６ｂ）が固定されている。
【００２６】
図８及び図９に示すように、縦フレーム２２３及び横フレーム２２４は、側面シールドパネル２２２を支持するステンレス製の骨格フレーム部材である。縦フレーム２２３は、上下方向に適宜な間隔で延設されている。縦フレーム２２３には、側壁レール２２７がボルト締めされると共に、スライドバー２７１が前後方向に移動自在に挿入され、導通機構２７０が取り付けられている。横フレーム２２４は、前後方向に向けて水平に延設されている。
【００２７】
枠フレーム２３５，２４９ａ，２４９ｂは、第１及び第２シールドボックス体２３０，２４０の前端部に配置された門型状のフレームである。第３シールドボックス体２５０の前端部には、枠フレーム２３５，２４９ａ，２４９ｂの機能を兼備した門型状の前面シールド体２６０が設けられている。枠フレーム２３５，２４９ａ，２４９ｂは、前後梁２３１，２４１，２５１、横梁２３２，２４２，２５２、縦フレーム２２３及び横フレーム２２４よりも太いステンレス製の角筒材から成る。
【００２８】
第１シールドボックス体２３０の枠フレーム２３５には、第１スライドバー２７１ａを前後方向に移動自在に挿通するためのガイド孔（図示省略）と、側壁レール２２７ｂと天井レール２２６ｂ（図５参照）とを前後方向にそれぞれ移動自在に挿通するためのガイド孔（図示省略）と、が形成されている。
第２シールドボックス体２４０の枠フレーム２４９ａ，２４９ｂには、第２スライドバー２７１ｂを前後方向に移動自在に挿通するための挿通孔（図示省略）が形成されている。
【００２９】
＜下側枠フレーム＞
下側枠フレーム２２５は、第２及び第３シールドボックス体２４０，２５０の下端の前端から後端に亘ってそれぞれ延設された縦断面視して略Ｌ字状（図１６参照）のフレーム部材である。その下側枠フレーム２２５の前部及び後部の下面には、キャスタ支持ブラケット２２９ａを介在してキャスタ２２８がそれぞれボルト締めされている。左右の下側枠フレーム２２５の前部及び後部には、第２及び第３シールドボックス体２４０，２５０を前方に移動させた際に、第２及び第３シールドボックス体２４０，２５０を導電性床板３２０に導通させる導通機構２７０がそれぞれ設けられている。下側枠フレーム２２５の幅方向（左右方向）の外側端部には、第１〜第３シールドボックス体２３０，２４０，２５０の側壁を形成する導電性の側面シールドパネル２２２（図１６参照）が設けられている。
【００３０】
＜キャスタ＞
図１７に示すように、キャスタ２２８は、床面３１０に敷設された導電性床板３２０（導電性床材）上を転動する転動体である。キャスタ２２８は、車輪２２８ａと、車輪２２８ａを回転可能に支持する車軸２２８ｂと、車軸２２８ｂを支持するキャスタ支持部材２２８ｃと、キャスタ支持部材２２８ｃを下側枠フレーム２２５に固定するための締結部材２２８ｄと、を備えて成る。
車輪２２８ａは、略円筒状の樹脂製のローラから成る。車軸２２８ｂは、例えば、ボルト・ナットから成る。キャスタ支持部材２２８ｃは、正面視して略逆Ｕ字形状の金属製部材から成る。締結部材２２８ｄは、キャスタ支持部材２２８ｃの上端部に形成された矩形の平板状部分の前後二箇所に設けられている。
【００３１】
≪第１シールドボックス体≫
図６に示すように、第１シールドボックス体２３０は、電波シールドボックス集合体２２０において、最も基端側（後側）に配置されるシールドボックスであって、前端が配線ボックス２１０に固定されている。
第１シールドボックス体２３０は、平面視して、配線ボックス２１０の左右方向の横幅よりも小さく形成され、図８に示すように、配線ボックス２１０の高さよりも低く形成されている。図２〜図４に示すように、第１シールドボックス体２３０は、第２及び第３シールドボックス体２４０，２５０よりも大きく形成されている。このため、収納時には、第１シールドボックス体２３０内に、第２及び第３シールドボックス体２４０，２５０が収容可能になっている。第１シールドボックス体２３０内には、ＭＲＩ装置１００が配置されている。
【００３２】
図５に示すように、第１シールドボックス体２３０の天井シールドパネル２２１の左右端部寄りの位置には、前端部から配線ボックス２１０の前後方向の中央部に亘って左右一対の天井レール２２６ａが設けられている。天井レール２２６ａは、縦断面視して略Ｃ字状のレール部材であり、横梁２３２にボルト締めされている。その天井レール２２６ａ内には、第２シールドボックス体２４０の天井部の前端から後方向に突設された天井スライダ２４７が摺動自在に挿入されている。
【００３３】
図８に示すように、第１シールドボックス体２３０の左右側面の略中央部には、金属製（例えばステンレス製）の網目状部材から成る監視窓２３３が設けられている。その監視窓２３３は、第１シールドボックス体２３０の縦フレーム２２３と、横フレーム２２４とで保持された監視窓枠２３４に内嵌するように取り付けられている。
【００３４】
第１シールドボックス体２３０の側面シールドパネル２２２の下端は、導電性床板３２０に接触した導通状態に設置されている。
また、第１シールドボックス体２３０の左右側面の下部には、側壁レール２２７の側壁レール２２７ａと、スライドバー２７１と、が配置されている。
【００３５】
側壁レール２２７ａは、配線ボックス２１０の側面中央部の下端部寄りの位置から第１シールドボックス体２３０の側面前端部に亘って延設されている。側壁レール２２７ａは、縦断面視して略Ｃ字状のレール部材であり、縦フレーム２２３にボルト締めされている。その側壁レール２２７ａ内には、第２シールドボックス体２４０の側壁の後端から後方向に突設された側壁スライダ２４８が摺動自在に内嵌されている。
【００３６】
≪第２シールドボックス体≫
図２及び図６に示すように、第２シールドボックス体２４０は、第１シールドボックス体２３０内から前方向に進退可能に配置されたシールドボックスである。
図６に示すように、第２シールドボックス体２４０は、平面視して、第１シールドボックス体２３０の左右方向の横幅よりも小さく形成されている。また、第２シールドボックス体２４０は、図８に示すように、第１シールドボックス体２３０の高さよりも低く形成されている。
【００３７】
図５に示すように、第２シールドボックス体２４０の横梁２４２の左右端部寄りの位置には、配線ボックス２１０の前後方向中央から第１シールドボックス体２３０の後端に亘って左右一対の天井レール２２６ｂが設けられている。天井レール２２６ｂは、前記天井レール２２６ａと同様に、縦断面視して略Ｃ字状のレール部材であり、横梁２３２にボルト締めされている。その天井レール２２６ｂ内には、第３シールドボックス体２５０の天井部の前端から後方向に突設された天井スライダ２５３が摺動自在に内嵌されている。
【００３８】
また、第２シールドボックス体２４０の天井シールドパネル２２１の前後中央部前側寄りの位置には、金属製（例えばステンレス製）の網目状部材から成る天井窓２４３が設けられている。その天井窓２４３は、手術室３００の天井等に設けられた照明灯の光を取り入れるための窓である。天井窓２４３は、第２シールドボックス体２４０の前側の前後梁２４１と、後側の前後梁２４１との間に設けられた天井窓枠２４４に内嵌するように取り付けられている。
【００３９】
図７に示すように、第２シールドボックス体２４０の左右側面の略中央部には、金属製（例えばステンレス製）の網目状部材から成る監視窓２４５が設けられている。その監視窓２４５は、第２シールドボックス体２４０の縦フレーム２２３と、横フレーム２２４とで保持された監視窓枠２４６に内嵌するように取り付けられている。
第２シールドボックス体２４０の側面シールドパネル２２２の下端は、導電性床板３２０よりも僅かに上方に配置されて、導電性床板３２０と非接触状態に設置されている（図１４、図１６〜図１８参照）。
図８に示すように、第２シールドボックス体２４０の左右側面の下部には、第１及び第２スライドバー２７１ａ，２７１ｂと、側壁レール２２７ｂと、下側枠フレーム２２５と、複数のキャスタ２２８と、導通機構２７０（導通機構２７０ａ及び導通機構２７０ｂ）と、が配置されている。
【００４０】
図７に示すように、第２シールドボックス体２４０の縦フレーム２２３の下端部寄りの位置には、第１シールドボックス体２３０の前端部から第３シールドボックス体２５０の後端に亘って、左右一対の側壁レール２２７ｂが水平に設けられている。側壁レール２２７ｂは、側壁レール２２７ａと同様に、縦断面視して略Ｃ字状のレール部材であり、縦フレーム２２３にボルト締めされている。その側壁レール２２７ｂ内には、第３シールドボックス体２５０の後端の縦フレーム２２３から後方向に突出したスライダ保持部材（図示省略）に固定された側壁スライダ２５４が、摺動自在に内嵌されている。
【００４１】
≪第３シールドボックス体≫
図２及び図６に示すように、第３シールドボックス体２５０は、第２シールドボックス体２４０内から前方向に進退可能に配置されたシールドボックスである。
図６に示すように、第３シールドボックス体２５０は、平面視して、第２シールドボックス体２４０の左右方向の横幅よりも小さく形成されている。また、第３シールドボックス体２５０は、図８に示すように、第２シールドボックス体２４０の高さよりも低く形成されている。
図５に示すように、第３シールドボックス体２５０の天井シールドパネル２２１には、前後方向に延設された前後梁２５１と、左右方向に延設された横梁２５２とが、直交するように設けられている。
【００４２】
第３シールドボックス体２５０の側面シールドパネル２２２の下端は、第２シールドボックス体２４０と同様に、導電性床板３２０よりも僅かに上方に配置されて、導電性床板３２０と非接触状態に設置されている（図１４、図１６、図１８参照）。
図８に示すように、第２シールドボックス体２４０の左右側面の下部には、第１スライドバー２７１ａと、下側枠フレーム２２５と、キャスタ２２８と、導通機構２７０（導通機構２７０ａ及び導通機構２７０ｂ）と、が配置されている。
【００４３】
≪前面シールド体≫
図１及び図７に示すように、前面シールド体２６０は、電波シールド装置２００の前側開口部２００ｂを開閉するためのシャッタ２６３（図１参照）を備えた門型状の開閉装置である。
図２に示すように、前面シールド体２６０は、平面視して、第３シールドボックス体２５０よりも大きくて、第１シールドボックス体２３０の左右方向の横幅と略同じ大きさに形成されている。また、前面シールド体２６０は、図４に示すように、第１〜第３シールドボックス体２３０，２４０，２５０の高さよりも低く形成されている。
図７に示すように、前面シールド体２６０は、逆凹形状の前面シールド本体２６１と、前面シールド本体２６１の後面に固定された開口部補強枠２６２と、で形成された門型状の金属製枠体である。その前面シールド体２６０は、シャッタ２６３と、シールドロールスクリーンケース２６４と、ハンガーハンドル２６５と、ドアハンドル２６６と、連動クリップ２６７と、レバーハンドル２６８と、ストッパー２６９と、を備えている。
【００４４】
シャッタ２６３は、前側開口部２００ｂの上端から下端に亘って引き出し可能に配置される可撓性を有するアルミ製の薄い板状部材である。
シールドロールスクリーンケース２６４は、シャッタ２６３を巻き取り、送り出し可能に収容した収納ケースである。シールドロールスクリーンケース２６４は、前面シールド本体２６１の上面に設置された左右方向に細長いケース体から成る。
【００４５】
ハンガーハンドル２６５は、前面シールド本体２６１の上部に設けられた取手である。ドアハンドル２６６は、前面シールド本体２６１の左右側部中央に設けられた取手である。ドアハンドル２６６は、電波シールドボックス集合体２２０を伸縮させる際に、術者等の操作者が掴持する部位である。
連動クリップ２６７は、前面シールド本体２６１の左右側部中央に設けられている。
レバーハンドル２６８は、前面シールド本体２６１の左右側部下部に設けられている。
【００４６】
ストッパー２６９は、使用時に、導電性床板３２０上に当接させることで、前面シールド体２６０の移動を阻止するための部材である。ストッパー２６９は、前面シールド本体２６１の左右側部下端に設けられている。ストッパー２６９は、使用時に、導電性床板３２０に当接した状態に配置される。また、ストッパー２６９は、電波シールドボックス集合体２２０を移動させるとき、及び、収納時は導電性床板３２０から上方向に離間されて非接触状態に設置される。
【００４７】
≪導通機構≫
図８及び図９に示す導通機構２７０は、第２及び第３シールドボックス体２４０，２５０を前進移動させて伸展させた際に、その移動に連動するスライドバー２７１の傾斜面２７１ｅによって導通部材２７５を下降させて導電性床板３２０に導通させる機構である。
導通機構２７０は、第１及び第２シールドボックス体２３０，２４０に設けられた第１スライドバー２７１ａで駆動する導通機構２７０ａ，２７０ｂと、第２及び第３シールドボックス体２４０，２５０に設けられた第２スライドバー２７１ｂで駆動する導通機構２７０ｃ，２７０ｄと、から成る。
導通機構２７０（導通機構２７０ａ，２７０ｂ，２７０ｃ，２７０ｄの総称）は、図１４に示すように、それぞれ後記するスライドバー２７１と、傾斜板２７１ｄと、当接体２７４と、支持ローラ２７６と、棒状部材２７７と、付勢部材ＳＰ１と、導通部材２７５と、長さ調整機構２７８と、棒状部材支持体２７９と、を備えて構成されている。
導通機構２７０は、電波シールドボックス集合体２２０の収納時及び移動中に、導通部材２７５が導電性床板３２０から離間し（図１７参照）、電波シールドボックス集合体２２０の展開時に、導通部材２７５が導電性床板３２０に接触（図１８参照）するように構成されている。
【００４８】
＜スライドバー＞
図８に示すように、スライドバー２７１は、第１〜第３シールドボックス体２３０，２４０，２５０の内壁（側面シールドパネル２２２）に対して前後方向にそれぞれ移動可能に水平に延設されたフレーム部材である。スライドバー２７１は、第１シールドボックス体２３０の前部から第２シールドボックス体２４０の前部に亘って水平に配置された左右一対の第１スライドバー２７１ａと、第２シールドボックス体２４０の前部から第３シールドボックス体２５０の前部に亘って水平に配置された左右一対の第２スライドバー２７１ｂと、から成る。
【００４９】
図９に示すように、スライドバー２７１（第１及び第２スライドバー２７１ａ，２７１ｂ）の前部及び後部の二箇所は、スライドバー２７１の上側に配置された支持ローラ２７６と、スライドバー２７１の下側に配置された当接体２７４とで、前後方向に移動自在に挟持されている。
【００５０】
図６及び図９に示すように、第１スライドバー２７１ａは、第２シールドボックス体２４０の枠フレーム２４９ａ及び縦フレーム２２３の貫通孔（図示省略）に移動自在に挿通されている。
第２スライドバー２７１ｂは、第３シールドボックス体２５０の縦フレーム２２３の貫通孔に移動自在に挿通されている。
【００５１】
図１０及び図１２に示すように、スライドバー２７１の後端部には、保持機構接続部材２７２ａ，２７２ｃを介して保持機構２８１，２８２が設けられている。第１スライドバー２７１ａの後端部は、展開時、第２シールドボックス体２４０を前方向に所定距離だけ移動させると、保持機構２８１の弾性保持部２８１ｂが、第１シールドボックス体２３０の保持機構固定部材２７３の係止突起２８１ａに係合して保持される。このため、保持機構２８２は、展開時の第２シールドボックス体２４０のストッパーの役目を果たす。
【００５２】
図１２及び図１３に示すように、第１スライドバー２７１ａの前端部は、保持機構接続部材２７２ｂ、保持機構２８２、及び保持機構接続部材２７２ｃを介在して、第３シールドボックス体２５０の縦フレーム２２３に移動自在に挿通された第２スライドバー２７１ｂの後端部に、離間可能に連結される。
【００５３】
第２スライドバー２７１ｂの前端部には、保持機構が設置されていない。第２スライドバー２７１ｂの前端部は、図３に示すように、収納時に、前面シールド体２６０の前部の開口部補強枠２６２に当接する。第２スライドバー２７１ｂの前端部は、図９に示すように、展開時に、前面シールド体２６０の開口部補強枠２６２から後側に離間した位置に移動する。
【００５４】
図３に示すように、第１スライドバー２７１ａは、収納時、後端が枠フレーム２４９ｂに当接して後側に押されることで、第１シールドボックス体２３０内を後側に移動する。そのとき、後端の保持機構２８１の弾性保持部２８１ｂは、係止突起２８１ａから分離して配線ボックス２１０に近傍位置にある。
【００５５】
第１スライドバー２７１ａは、展開時、前方向に移動する第２シールドボックス体２４０に引っ張られて前方向に移動する。図１０及び図１１に示すように、第１スライドバー２７１ａの後端の保持機構２８１の弾性保持部２８１ｂは、第１シールドボックス体２３０の枠フレーム２３５の保持機構固定部材２７３に固定された係止突起２８１ａに係合して保持される。このとき、図１２及び図１３に示すように、第１スライドバー２７１ａの前端の保持機構２８２の係止突起２８２ａは、第２スライドバー２７１ｂの前端に保持機構接続部材２７２ｃを介在して固定された弾性保持部２８２ｂに係合して連結状態になっている。このため、前面シールド体２６０を前側に引っ張った場合には、前面シールド体２６０と一体の第３シールドボックス体２５０を介在して、第２スライドバー２７１ｂが第１スライドバー２７１ａ及び第２シールドボックス体２４０を前方向に引っ張る。
【００５６】
＜傾斜板＞
図９に示すように、傾斜板２７１ｄは、スライドバー２７１の下面に傾斜面２７１ｅを形成するための板部材である。傾斜板２７１ｄは、第２及び第３シールドボックス体２４０，２５０に前後方向に移動可能に配置されたスライドバー２７１の前部寄りの位置の下面と、後部寄りの位置の下面との二箇所に配置されている。
【００５７】
≪保持機構≫
図１０〜図１３に示すように、保持機構２８１，２８２は、収容時、スライドバー２７１を第１及び第２シールドボックス体２３０，２４０に所定の保持力で離間可能に保持すると共に、展開時に、スライドバー２７１の後端を第１及び第２シールドボックス体２３０，２４０に係止させるための金具である。保持機構２８１，２８２は、例えば、所謂ローラキャッチ、ドアキャッチ等と言われている市販の支持部材から成る。保持機構２８１，２８２は、係止突起２８１ａ，２８２ａと、係止突起２８１ａ，２８２ａに対向配置されて係止突起２８１ａ，２８２ａを係合・離脱可能に支持する弾性保持部２８１ｂ，２８２ｂと、を備えて成る。
【００５８】
係止突起２８１ａ，２８２ａは、例えば、先端に側面視して略菱形の膨らんだ突部を有する突出片から成る。係止突起２８１ａ，２８２ａは、例えば、金属製の平板を折曲加工して形成されている。図１０及び図１１に示すように、係止突起２８１ａは、第１シールドボックス体２３０の縦フレーム２２３に締結された保持機構固定部材２７３の後端部に固定されている。図１２及び図１３に示すように、係止突起２８２ａは、第２スライドバー２７１ｂの後端部に締結された保持機構接続部材２７２ｃの後端部に固定されている。
【００５９】
図１０〜図１３に示すように、弾性保持部２８１ｂ，２８２ｂは、係止突起２８１ａ，２８２ａの突起を弾性的に保持する保持部である。弾性保持部２８１ｂ，２８２ｂは、例えば、先端に配置された上下一対のローラと、それらのローラを互いに当接する方向に付勢するバネ部材と、を備えたキャッチャから成る。図１０及び図１１に示すように、弾性保持部２８１ｂは、第１スライドバー２７１ａの後端部に締結された保持機構接続部材２７２ａの後端部に固定されている。図１２及び図１３に示すように、弾性保持部２８２ｂは、第２スライドバー２７１ｂの後端部に締結された保持機構接続部材２７２ｃの後端部に固定されている。
【００６０】
＜当接体＞
図９に示すように、当接体２７４は、スライドバー２７１，２７２の下面に設けた傾斜板２７１ｄの傾斜面２７１ｅに当接することで上下動する部材である。また、当接体２７４は、スライドバー２７１の当接面２７１ｃ及び傾斜板２７１ｄの傾斜面２７１ｅに当接して配置されてスライドバー２７１を下側から支持するローラ状の回転体から成る。当接体２７４は、高い耐磨耗性と強度を備えたエンジニアリング・プラスチックによって形成されている。
図１４に示すように、当接体２７４と導通部材２７５との間には、下側枠フレーム２２５に形成された貫通孔２２５ｂに上下動可能に挿通して配置された棒状部材２７７が設けられている。当接体２７４は、その棒状部材２７７の上端に当接体連結部材２７４ａを介在して回転自在に軸支されている。
当接体連結部材２７４ａは、棒状部材２７７の上端に、当接体２７４の軸部を連結するための接続部材である。
【００６１】
＜支持ローラ＞
支持ローラ２７６は、スライドバー２７１を上側から支持するボビン形状の回転体（図１５参照）から成る。支持ローラ２７６は、軸部材及びローラ支持部材２７６ａを介在して縦フレーム２２３にボルトＴ１（図１４参照）によって締結されている。
【００６２】
＜棒状部材＞
図１６に示すように、棒状部材２７７は、上下方向に延びる複数の金属製円柱状部材を連結して形成されている。棒状部材２７７は、上部棒状部材２７７ａと、下部棒状部材２７７ｂと、上下動作連結ボルト２７７ｃと、棒状部材連結部２７７ｄと、付勢部材受部２７７ｅと、を上下方向に一直線に連結して成る。棒状部材２７７には、上側から順に、当接体連結部材２７４ａと、棒状部材支持体２７９と、長さ調整機構２７８と、付勢部材ＳＰ１と、受部２２５ｃと、導通部材支持ブラケット２２５ｄと、棒状部材連結部２７７ｄと、導通部材保持部２７５ｇと、導通部材２７５と、が設けられている。
【００６３】
＜棒状部材支持体＞
棒状部材支持体２７９は、棒状部材２７７の上部棒状部材２７７ａを上下動可能に支持する部材である。棒状部材支持体２７９は、上部棒状部材２７７ａを遊挿する貫通孔を有し、ボルトＴ２（図１４及び図１５参照）によって縦フレーム２２３に締結されている。
【００６４】
＜長さ調整機構＞
長さ調整機構２７８は、棒状部材２７７の軸方向の長さを調節することで、当接体２７４の高さを調整して、導通部材２７５と導電性床板３２０との接触具合を調整するための装置である。長さ調整機構２７８は、例えば、上部棒状部材２７７ａの下端部に形成された右ネジ部２７７ｆと、下部棒状部材２７７ｂの上端部に形成された左ネジ部２７７ｇと、その右ネジ部２７７ｆと左ネジ部２７７ｇとに螺合する雌ネジ部を有する調整用ナット２７８ａと、右ネジ部２７７ｆに螺合する右ナット２７８ｂと、左ネジ部２７７ｇに螺合する左ナット２７８ｃと、を備えて構成されている。
【００６５】
＜付勢部材＞
図１６に示す付勢部材ＳＰ１は、棒状部材２７７を上方向に付勢するバネ部材である。付勢部材ＳＰ１は、棒状部材２７７の遊嵌された圧縮コイルバネから成る。付勢部材ＳＰ１は、下側枠フレーム２２５上に設置された座金状の受部２２５ｃと、下部棒状部材２７７ｂの上部に固定された付勢部材受部２７７ｅとの間に配置されて、常に、受部２２５ｃと付勢部材受部２７７ｅと押圧している。
【００６６】
＜導通部材支持ブラケット＞
導通部材支持ブラケット２２５ｄは、下側枠フレーム２２５の下面外側と、側面シールドパネル２２２の内側下端と、に当接した状態に設置された正面視して逆Ｌ字状のステンレス製板部材である。導通部材支持ブラケット２２５ｄは、側面シールドパネル２２２の下端部前端から下端部後端に亘って前後方向に水平に延設されている。
【００６７】
＜棒状部材連結部＞
前記棒状部材連結部２７７ｄは、上下動作連結ボルト２７７ｃを雌ネジ部に螺合した下部棒状部材２７７ｂに外嵌される筒状のアルミ製部材から成る。棒状部材連結部２７７ｄと、下部棒状部材２７７ｂと、上下動作連結ボルト２７７ｃとは、布状導通部材２７５ｅを介在して上下一対のネジ部材Ｎ１によって連結されている。棒状部材連結部２７７ｄの上端面と、布状導通部材２７５ｅの上端とは、逆Ｌ字状の導通部材支持ブラケット２２５ｄの水平部下面に当接した状態に設置されている。
【００６８】
＜導通部材＞
図１７及び図１８に示すように、導通部材２７５は、当接体２７４（図１６参照）及び棒状部材２７７に連動して上下動して、床面３１０に設けられた導電性床板３２０に接触・離間する導電部材である。導通部材２７５は、棒状部材２７７の下端に連結されて、導通部材２７５と側面シールドパネル２２２とに導通させるための部材である。導通部材２７５は、第２及び第３シールドボックス体２４０，２５０の移動による第１及び第２スライドバー２７１ａ，２７１ｂの傾斜板２７１ｄの移動に合わせて昇降し、当接体２７４が傾斜面２７１ｅに当接することで、下降して導電性床板３２０に接触するように配置されている（図９及び図１４参照）。導通部材２７５は、筒状芯材２７５ａと、床面接触部材２７５ｂと、布状導通部材２７５ｅと、挟持部材２７５ｆと、導通部材保持部２７５ｇと、を備えている。
【００６９】
筒状芯材２７５ａは、移動可能な第２及び第３シールドボックス体２４０，２５０の側面シールドパネル２２２の下端部内側にそれぞれ配置されて、前後方向に延設された円筒状の樹脂製部材である。
床面接触部材２７５ｂ、及び布状導通部材２７５ｅは、例えば、ステンレス製の網状あるいは布状の部材から成る。
【００７０】
床面接触部材２７５ｂは、円筒状の筒状芯材２７５ａの外周面を覆うようにして配置された円筒状部２７５ｃと、円筒状部２７５ｃの上端部から上方に延設された支持板部２７５ｄと、を一体形成して成る。
円筒状部２７５ｃは、第２及び第３シールドボックス体２４０，２５０が展開した際に、傾斜面２７１ｅに当接した当接体２７４によって棒状部材２７７が下降することで、導電性床板３２０に当接する部位である。
【００７１】
支持板部２７５ｄは、円筒状部２７５ｃを棒状部材２７７に連結するための板状部位である。支持板部２７５ｄは、円筒状部２７５ｃの下側に連結した左右一対の挟持部材２７５ｆによって挟持されている。
布状導通部材２７５ｅは、導通部材支持ブラケット２２５ｄの下面、棒状部材連結部２７７ｄの側面、導通部材保持部２７５ｇの側面、及び、挟持部材２７５ｆに接触した状態に配置されている。布状導通部材２７５ｅは、上部がネジ部材Ｎ１によって棒状部材連結部２７７ｄに固定され、下部がネジ部材Ｎ２によって挟持部材２７５ｆに固定されている。
挟持部材２７５ｆは、前後方向に長い２枚のステンレス鋼板から成る。
【００７２】
＜導通部材保持部＞
導通部材保持部２７５ｇは、上下動作連結ボルト２７７ｃの下端部の頭部を支持すると共に、左右一対の挟持部材２７５ｆを導通部材２７５の支持板部２７５ｄを介在して保持する逆凹形状のステンレス製板部材である。導通部材保持部２７５ｇは、支持板部２７５ｄと挟持部材２７５ｆと挟持した状態で、複数のネジ部材Ｎ２によって連結されている。
【００７３】
［作用］
次に、本発明の実施形態に係る電波シールド構造の作用を説明する。
【００７４】
＜ＭＲＩ装置を使用しない場合＞
ＭＲＩ装置１００を使用しない場合は、図２〜図４に示すように、電波シールドボックス集合体２２０を入れ子状に収縮させた収納状態にして、第２及び第３シールドボックス体２４０，２５０を第１シールドボックス体２３０内に収納して保管する。
この場合、電波シールド装置２００は、第２及び第３シールドボックス体２４０，２５０の下端部の導通部材２７５が、図１４及び図１７に示すように、導電性床板３２０から上昇して離間した状態になっている。
【００７５】
図３に示すように、スライドバー２７１は、収納時、前端が枠フレーム２４９ｂ、開口部補強枠２６２に当接して、後方に押されていることで、第１シールドボックス体２３０内に移動している。このため、後端の保持機構２８１，２８２の弾性保持部２８１ｂ，２８２ｂは、係止突起２８１ａ，２８２ａから分離して配線ボックス２１０に近傍位置にある。
【００７６】
＜ＭＲＩ装置で患者を撮影する場合＞
ＭＲＩ装置１００で患者を撮影する場合は、まず、ストッパー２６９を解除する。次に、ドアハンドル２６６を持って、第２及び第３シールドボックス体２４０，２５０を引出す。
【００７７】
図６に示すように、第２スライドバー２７１ｂは、展開時、前方向（矢印ｅ方向）に移動する第３シールドボックス体２５０と共に前方向（矢印ｃ方向）に移動する。そして、図１２及び図１３に示すように、第２スライドバー２７１ｂは、後端の保持機構２８２の弾性保持部２８２ｂが係止突起２８２ａに係合すると静止し、前端が開口部補強枠２６２から離間して後方向（矢印ｄ方向）に移動した状態になる。
【００７８】
第１スライドバー２７１ａは、展開時、前方向（矢印ｇ方向）に移動する第２スライドバー２７１ｂの保持機構２８２に引っ張られて前方向（矢印ａ方向）に移動する。そして、第１スライドバー２７１ａは、図１０及び図１１に示すように、後端の保持機構２８１の弾性保持部２８１ｂが係止突起２８１ａに係合すると、保持機構固定部材２７３に固定された係止突起２８１ａによって静止する。その後、さらに、第２及び第３シールドボックス体２４０，２５０が前方向に移動することで、第１スライドバー２７１ａは、図１２及び図１３に示すように、前端が枠フレーム２４９ｂから離間した後方向（矢印ｂ方向）に移動した状態になる。
【００７９】
このため、スライドバー２７１は、図９に示すように、後方向（矢印ｂ，ｄ方向）に移動したことで、それぞれの当接体２７４を、傾斜面２７１ｅを転動して傾斜板２７１ｄの最も低い位置に当接した状態にする。当接体２７４は、傾斜面２７１ｅを上って傾斜板２７１ｄの最も低い位置に当接したことで、棒状部材２７７を下降させて、導通部材２７５を導電性床板３２０に押し付ける。
【００８０】
このように、電波シールド装置２００は、電波シールドボックス集合体２２０を伸展した状態にした際に、第２及び第３シールドボックス体２４０，２５０に導通している導通部材２７５を確実に導電性床板３２０に押し付けて接地状態にして、電磁シールド性を向上させることができる。また、電波シールド装置２００は、電波シールドボックス集合体２２０に帯電していた電流を、導電性床板３２０からスムーズに放電させることができる。
【００８１】
本発明は、図８に示すように、磁気共鳴イメージング装置（ＭＲＩ装置１００）を含む空間２２０ａを電波シールドするための電波シールド構造であって、正面視して門形状の複数のシールドボックス体（第１〜第３シールドボックス体２３０，２４０，２５０）が、内部に磁気共鳴イメージング装置を覆い得る空間２２０ａを形成するように水平方向に移動可能に嵌合連結された電波シールドボックス集合体２２０と、電波シールドボックス集合体２２０と導通状態にあって、上下動可能な導通部材２７５と、床面３１０に設置された導電性床材（導電性床板３２０）と、を備えて構成され、電波シールドボックス集合体２２０の展開時、または、展開時を含む展開前後に、導通部材２７５を機械的構造によって導電性床材に接触させることを特徴とする電波シールド構造となっており、展開時や展開前後以外の伸縮時では、導通部材２７５は機械的構造によって導電性床材から離間した状態になっている。
ここで、「電波シールドボックス集合体２２０と導通状態にあって」とは、例えば、導電性の側面シールドパネル２２２や布状導通部材２７５ｅを介して電波シールドボックス集合体２２０と導通部材２７５とが導通状態にあることを指す。
なお、「展開時」とは、電波シールドボックス集合体２２０の移動が終了した状態で、磁気共鳴イメージング装置の作動可能な状態を指す。また、「展開前後」とは、電波シールドボックス集合体２２０の移動が終了する寸前の移動状態を指す。
さらに「伸縮時」とは、電波シールドボックス集合体２２０の移動時、または、電波シールドボックス集合体２２０が磁気共鳴イメージング装置側に収納された状態を指す。
また、「機械的構造」とは、導通部材２７５を導電性床材から機械的に離間させたり、導通部材２７５を導電性床材に機械的に接触させたりする機能を果す構造である。「機械的構造」は、例えば、電波シールドボックス集合体２２０の展開及び伸縮に連動する傾斜面２７１ｅを有する構造体と、その傾斜面２７１ｅに当接することによって導通部材２７５を移動させる構造体と、から成るものでもよい。そのほか、「機械的構造」は、電波シールドボックス集合体２２０の展開及び伸縮に連動する歯車を有する構造体と、その歯車に噛合して連動することによって導通部材２７５を移動させる構造体と、から成る歯車機構（ラックとピニオンギヤを使用した歯車機構、ウォームギヤとホイールギヤを使用した歯車機構）等でもよい。
これにより、導通部材２７５は、導電性床材（導電性床板３２０）と常時接触させる構造とはなっていないため、電波シールドボックス集合体２２０の移動時に、導電性床材に対して常に摩擦抵抗がかかることはなく、摩耗したり、材料劣化したりして、導通状態が低化するという問題点が発生しない。
また、本発明は、複数のシールドボックス体（第１〜第３シールドボックス体２３０，２４０，２５０）の内部で、電気機器を使用することなく機械的構造により、導通部材２７５を床面３１０の導電性床材（導電性床板３２０）に接触させたり、離間させたりすることができるので、電気機器や電線を通じて発生する電磁波によって電波シールドに悪影響を与えることがない。
【００８２】
また、図８に示すように、電波シールドボックス集合体２２０は、複数のシールドボックス体（第１〜第３シールドボックス体２３０，２４０，２５０）の内壁に移動方向にそれぞれ摺動可能に延設されたスライドバー２７１を有し、スライドバー２７１が、電波シールドボックス集合体２２０の移動に合わせて移動し、所定位置に来たときに、導通部材２７５を導電性床材（導電性床板３２０）に接触させる。
これにより、本発明は、電波シールドボックス集合体２２０を伸展及び収縮する際に、スライドバー２７１が予め設定した所定位置（所定の位置、所定の範囲内の位置）に移動したときに、図１８に示すように、導通部材２７５と導電性床板３２０とを接触させることができる。このため、導通部材２７５と導電性床板３２０との摩擦及び摩耗を低減させて、導通部材２７５の劣化を低減させることができると共に、シールド伸展作業時の作業性を向上させることができる。
【００８３】
また、図１４に示すように、スライドバー２７１の下面には、傾斜面２７１ｅを有する作動部が設けられ、前記導通部材２７５は、傾斜面２７１ｅに当接することで上下動する当接体２７４を有する被作動部の作動に連動して上昇・下降する。
これにより、導通部材２７５は、スライドバー２７１が前後方向に移動して傾斜面２７１ｅ（作動部）が移動すると、傾斜面２７１ｅの移動に連動して当接体２７４（被作動部）と共に上昇・下降して、床面３１０の導電性床板３２０に接触・離間する。
【００８４】
また、図６に示すように、複数のシールドボックス体（第１〜第３シールドボックス体２３０，２４０，２５０）のうちの基端側シールドボックス体（第１シールドボックス体２３０）の先端側に配置されたシールドボックス体（第２及び第３シールドボックス体２４０，２５０）のスライドバー２７１の後端部に、スライドバー２７１の移動を規制する保持機構２８１，２８２が設けられている。
これにより、本発明は、移動可能なシールドボックス体（第２及び第３シールドボックス体２４０，２５０）のスライドバー２７１の後端部に、スライドバー２７１の移動を規制する保持機構２８１，２８２を設けたことで、シールドボックス体が所望の位置状態にあるときに、スライドバー２７１の移動を停止させることができる。このため、保持機構２８１，２８２は、シールドボックス体が予め設定した所定の位置状態ときに、効率よく導通部材２７５（図１８参照）と導電性床板３２０とを接触させて、その接触状態を維持させることが可能である。
【００８５】
また、図９、図１４、及び図１７に示すように、導通部材２７５は、電波シールドボックス集合体２２０の移動方向に延設された導電性の筒状部材から成る。
これにより、本発明は、導通部材２７５（図１８参照）を導電性床板３２０に確実に導通させることができるため、シールド性能を向上させることできる。
【００８６】
また、図９または図１４に示すように、複数のシールドボックス体（第１〜第３シールドボックス体２３０，２４０，２５０の下端部には、キャスタ２２８を取り付けた下側枠フレーム２２５が設けられ、当接体２７４と導通部材２７５との間には、下側枠フレーム２２５に形成された貫通孔２２５ｂに上下動可能に挿通して配置された棒状部材２７７が設けられ、棒状部材２７７には、一端を下側枠フレーム２２５上に配置し、他端を棒状部材２７７に設けた付勢部材受部２７７ｅに当接して配置されて、棒状部材２７７を上方向に付勢する付勢部材ＳＰ１が設けられている。
これにより、本発明の当接体２７４は、傾斜面２７１ｅに当接することで、上下動する当接体２７４の動きに合わせて棒状部材２７７及び導通部材２７５を上下動させて、導通部材２７５を導電性床板３２０に効率よいタイミングで導通させることができる。
【００８７】
また、図１７及び図１８に示すように、下側枠フレーム２２５の幅方向の外側端部には、複数のシールドボックス体（第１〜第２シールドボックス体２３０，２４０，２５０）の側壁を形成する導電性の側面シールドパネル２２２（シールドパネル）が設けられ、導通部材２７５には、導通部材２７５と側面シールドパネル２２２とに導通する導通する布状導通部材２７５ｅあるいはメッシュ状導通部材が設けられている。
これにより、布状導通部材２７５ｅあるいはメッシュ状導通部材は、設置した場所に応じて適宜に変形させることができるため、導通部材２７５と側面シールドパネル２２２との間を確実に導通状態に維持することができる。
【００８８】
また、図１６に示すように、棒状部材２７７には、棒状部材２７７の長さを調整することが可能な長さ調整機構２７８が設けられている。
これにより、本発明の棒状部材２７７は、当接体２７４と導通部材２７５との間の距離が変動しても、その変動に応じて長さを調整して、導通部材２７５と導電性床板３２０との接触状態を良好に維持することができる。
【００８９】
また、図３または図６に示すように、スライドバー２７１は、収納時に、前端がシールドボックス体（第１及び第２シールドボックス体２４０，２５０）の前端部に設けられた枠フレーム２４９ｂ、あるいは、開口部補強枠２６２に当接して後方に押されることで、保持機構２８１，２８２の弾性保持部２８１ｂ，２８２ｂが係止突起２８１ａ，２８２ａとから分離して基端側シールドボックス体（第１シールドボックス体２３０）内に移動し、展開時に、前方向に移動する先端側のシールドボックス体（第２及び第３シールドボックス体２４０，２５０）に引っ張られて前方向に移動して、スライドバー２７１の後端の保持機構２８１，２８２の弾性保持部２８１ｂ，２８２ｂが係止突起２８１ａ，２８２ａに係合して静止し、先端側のシールドボックス体（第２及び第３シールドボックス体２４０，２５０）が、さらに前方に移動して、枠フレーム２４９ｂ、あるいは、開口部補強枠２６２から分離している。
これにより、電波シールドボックス集合体２２０に配置したスライドバー２７１は、先端側の第２及び第３シールドボックス体２４０，２５０が移動した際に、第２及び第３シールドボックス体２４０，２５０の前後方向の移動距離よりも短い距離を移動する。このため、第２及び第３シールドボックス体２４０，２５０に配置された導通部材２７５は、第２及び第３シールドボックス体２４０，２５０が前後方向に移動した際に、スライドバー２７１が第２及び第３シールドボックス体２４０，２５０に対して停止すると、スライドバー２７１の傾斜面２７１ｅに沿って上下動するようにすることが可能となる。
【００９０】
［第１変形例］
以上、本発明について、実施形態に基づいて説明したが、本発明は、前記実施形態に記載した構成に限定されるものではなく、前記実施形態に記載した構成を適宜組み合わせ乃至選択することを含め、その趣旨を逸脱しない範囲において適宜その構成を変更することができるものである。なお、既に説明した構成は同じ符号を付してその説明を省略する。
【００９１】
次に、図１９〜図２５を参照して本発明に係る電波シールド構造の第１変形例を説明する。図１９は、本発明の実施形態に係る電波シールド構造の第１変形例を示す図であり、電波シールド構造の伸展状態を示す一部断面を有する概略左側面図である。図２０は、図１９のＥ部拡大図である。図２１は、図１９のＥ部概略拡大縦断面図である。図２２は、図２１のフィンガー２７７Ａｄの拡大図である。図２３は、図１９のＦ部拡大図である。図２４は、図１９のＦ部概略拡大縦断面図である。図２５は、図１９のＧ部拡大図である。
【００９２】
前記実施形態では、図１４に示すように、導通機構２７０の一例として、スライドバー２７１と、傾斜面２７１ｅと、当接体２７４と、導通部材２７５と、支持ローラ２７６と、棒状部材２７７と、を備えたものを例に挙げて説明したが、これに限定されない。
図１９に示すように、導通機構２７０Ａ（２７０Ａａ，２７０Ａｂ，２７０Ａｃ，２７０Ａｄ）は、スライドバー２７１Ａ（第１及び第２スライドバー２７１Ａａ，２７１Ａｂ）の前後方向の動きを歯車変換機構４００，４１０によって変換して、棒状部材２７７Ａ及び導通部材２７５Ａを上昇・下降させるようにしてもよい。歯車変換機構４００，４１０は、例えば、ラック・アンド・ピニオンから成る。
【００９３】
この場合、第１シールドボックス体２３０の前端部の下部と第２シールドボックス体２４０の後端部の下部との連結箇所と、第２シールドボックス体２４０の前端部の下部と第３シールドボックス体２５０の後端部の下部との連結箇所とには、第１及び第２スライドバー２７１Ａａ，２７１Ａｂを前後方向に移動自在に支持する保持機構２８１Ａ，２８２Ａが設置されている。
【００９４】
図２０及び図２１に示すように、保持機構２８１Ａは、固定ラック２８１Ａａと、第１ピニオンギヤ２８１Ａｂと、第２ピニオンギヤ２８１Ａｃと、支持ラック２８１Ａｄと、連結軸２８１Ａｅと、第１スライドバー２７１Ａａと、バー支持金具２８３Ａと、を備えて構成されている。
【００９５】
固定ラック２８１Ａａは、第１シールドボックス体２３０の側壁に、歯形部を上向きにして水平に固定されたラックギヤから成る。
第１ピニオンギヤ２８１Ａｂは、第１シールドボックス体２３０の側壁に回転自在に軸支されて固定ラック２８１Ａａに噛合するピニオンギヤである。
【００９６】
第２ピニオンギヤ２８１Ａｃは、第１ピニオンギヤ２８１Ａｂと一体に回転するように連結軸２８１Ａｅによって連結されたピニオンギヤである。第２ピニオンギヤ２８１Ａｃは、第２シールドボックス体２４０の後端から後方向に向けて突設された左右一対の軸支片２４０ａによって回転自在に軸支されている。
支持ラック２８１Ａｄは、第２ピニオンギヤ２８１Ａｃに噛合するラックギヤである。支持ラック２８１Ａｄは、前後方向に移動可能な第１スライドバー２７１Ａａの前端部に一体形成、または、固定されて、固定ラック２８１Ａａに平行に対向して配置されている。
【００９７】
図１９に示すように、第１スライドバー２７１Ａａは、第１シールドボックス体２３０の後端部から第２シールドボックス体２４０の前端部に亘って前後方向に予め設定した所定距離だけ前後方向に移動可能に配置されている。また、第２スライドバー２７１Ａｂは、第２シールドボックス体２４０の後端部から第３シールドボックス体２５０の前端部に亘って前後方向に予め設定した所定距離だけ前後方向に移動可能に配置されている。
【００９８】
バー支持金具２８３Ａは、それぞれのスライドバー２７１Ａを前後方向に移動自在に支持するための金具である。バー支持金具２８３Ａは、第２シールドボックス体２４０の前端部及び後端部と、第３シールドボックス体２５０の前端部及び後端部と、にそれぞれ締結されて、スライドバー２７１Ａの前端部と後端部とをそれぞれ支持している。
【００９９】
図２３及び図２４に示すように、保持機構２８２Ａは、第１スライドバー２７１Ａａを前後方向に移動可能な状態に支持する装置である。保持機構２８２Ａは、第１スライドバー２７１Ａａの後端部の下面に形成された支持ラック２８２Ａａと、第３ピニオンギヤ２８２Ａｂと、第４ピニオンギヤ２８２Ａｃと、支持ラック２８２Ａｄと、連結軸２８１Ａｅと、スライドバー２７１Ａと、バー支持金具２８３Ａと、を備えて構成されている。
【０１００】
支持ラック２８２Ａａは、第２シールドボックス体２４０の後端部に配置された第１スライドバー２７１Ａａの前端部下端に下向きに形成されたラックギヤから成る。
第３ピニオンギヤ２８２Ａｂは、第２シールドボックス体２４０の側壁に回転自在に軸支されて、支持ラック２８２Ａａに噛合するピニオンギヤである。
【０１０１】
第４ピニオンギヤ２８２Ａｃは、第３ピニオンギヤ２８２Ａｂと一体に回転するように連結軸２８２Ａｅによって連結されたピニオンギヤである。第４ピニオンギヤ２８２Ａｃは、第３シールドボックス体２５０の側壁に軸支された連結軸２８２Ａｅの端部に設けられている。
支持ラック２８２Ａｄは、第４ピニオンギヤ２８２Ａｃに噛合するラックギヤである。支持ラック２８２Ａｄは、第２スライドバー２７１Ａｂの後端部の下面に一体形成、または、固定されている。
【０１０２】
図１９または図２１に示すように、第１及び第２シールドボックス体２３０，２４０の下端部の前端部及び後端部には、導電性床板３２０上を転動するキャスタ２２８と、後記する導通機構２７０Ａによって上昇・下降して導電性床板３２０に接触・離間する導通部材２７５Ａと、がそれぞれ設けられている。
【０１０３】
図２１に示すように、導通部材２７５Ａは、第１及び第２シールドボックス体２３０，２４０の下端に設けられた下側枠フレーム２２５の下端面と、導電性床板３２０（導電性床材）との間に介在されて、両者を電気的に接続する導電性部材である。導通部材２７５Ａは、棒状部材２７７Ａの下端に設けられて、前後方向に延設されている（図１９参照）。導通部材２７５Ａは、例えば、上下方向に対してバネ性を有するガスケット状の導電性軟質材から成る。
【０１０４】
図２５に示す導通機構２７０Ａは、第２及び第３シールドボックス体２４０，２５０（図１９参照）を前進移動させて伸展させた際に、その移動に連動するスライドバー２７１Ａによって、歯車変換機構４００を介して導通部材２７５Ａを下降させて導電性床板３２０に導通させる装置である。導通機構２７０Ａは、第２及び第３シールドボックス体２４０，２５０の前端部と後端部とにそれぞれ配置されている（図１９参照）。導通機構２７０Ａは、スライドバー２７１Ａに設けられたバー連動ラック４０１（作動部）と、バー連動ラック４０１に噛合するピニオンギヤ４０２と、棒状部材２７７Ａに設けられてピニオンギヤ４０２に噛合する上下動用ラック４０３（被作動部）と、を備えた歯車変換機構４００から成る。
【０１０５】
バー連動ラック４０１は、スライドバー２７１Ａの下面に一体形成、あるいは、固定されたラックギヤから成る。
ピニオンギヤ４０２は、バー連動ラック４０１の前後方向の移動を、上下動用ラック４０３の上昇・下降に変換するための歯車である。ピニオンギヤ４０２は、バー連動ラック４０１及び上下動用ラック４０３に噛合した状態で、第２及び第３シールドボックス体２４０，２５０（図１９参照）の側壁に軸支されている。
上下動用ラック４０３は、棒状部材２７７Ａの側面に一体形成、あるいは、固定されたラックギヤから成る。
【０１０６】
図２５に示すように、棒状部材２７７Ａは、導通部材２７５Ａを上昇・下降可能に保持するための部材である。棒状部材２７７Ａは、上下方向に延設され円柱形状、あるいは、四角柱形状の導電性金属部材から成る。棒状部材２７７Ａは、上部及び中部に設置された棒状部材支持金具２７７Ａｅによって、上下動自在にそれぞれ支持されている。
【０１０７】
図２２に示すように、棒状部材２７７Ａの下端部は、筒状の下部棒状部２７７Ａｂと、導電性の弾性部材２７７Ａｃと、導電性の導通部材２７５Ａと、フィンガー２７７Ａｄと、を備えて構成されている。
下部棒状部２７７Ａｂは、棒状部材２７７Ａの下端部に形成された中空部位である。
弾性部材２７７Ａｃは、下部棒状部２７７Ａｂ内に内嵌された導電性部材から成る。
前記した導通部材２７５Ａは、下部棒状部２７７Ａｂ内の弾性部材２７７Ａｃの下側に内嵌させて、棒状部材２７７Ａの下端部に連結されている。
フィンガー２７７Ａｄは、下部棒状部２７７Ａｂの左右側面から円弧状に突出して配置された非磁性ステンレス鋼板等から成る。
【０１０８】
このように構成しても、第１変形例の導通機構２７０Ａは、第２及び第３シールドボックス体２４０，２５０を前後方向に移動させた際に、その移動に連動するスライドバー２７１Ａによって、歯車変換機構４００を介して導通部材２７５Ａを上昇・下降させることで、導通部材２７５Ａを導電性床板３２０に接触・離間させることができる。
【０１０９】
［第２変形例］
次に、図２６を参照して本発明の第２変形例を説明する。
図２６は、本発明の実施形態に係る電波シールド構造の第２変形例を示す図であり、導通機構を示す要部概略図である。
【０１１０】
また、導通機構２７０Ｂは、第２及び第３シールドボックス体２４０，２５０を前後方向に移動させた際に、その移動に連動するスライドバー２７１Ｂによって、スライド昇降機構５００を介して導通部材２７５Ｂを上昇・下降させることで、導通部材２７５Ｂを導電性床板３２０に接触・離間させてもよい。
【０１１１】
導通機構２７０Ｂは、第２及び第３シールドボックス体２４０，２５０の前端部と後端部とにそれぞれ配置されている。導通機構２７０Ｂは、スライドバー２７１Ｂに設けられたバー連動傾斜部材５０１（作動部）と、バー連動傾斜部材５０１の傾斜面５０１ａに当接して昇降する昇降部材５０２（被作動部）と、昇降部材５０２に連結された導通部材２７５Ｂと、導通部材２７５Ｂを上方向に自動戻りさせるための自動復帰機構５０３と、を備えたスライド昇降機構５００から成る。
【０１１２】
バー連動傾斜部材５０１は、スライドバー２７１Ｂの下面の前端部及び後端部寄りの位置に一体形成、あるいは、固定された突出片から成る。バー連動傾斜部材５０１の下端面には、スライドバー２７１Ｂが前後方向に移動した際に、昇降部材５０２の傾斜面５０２ａ上を摺動する前下がりの傾斜面５０１ａが形成されている。
昇降部材５０２は、自動復帰機構５０３によって傾斜面５０１ａに対して常に当接して配置されて、スライドバー２７１Ｂが後方向に移動した際に、バー連動傾斜部材５０１の傾斜面５０１ａに押し下げられることによって、下降する。
導通部材２７５Ｂは、前後一対の昇降部材５０２の下端に連結されると共に、前後一対の自動復帰機構５０３によって、第２シールドボックス体２４０（シールドボックス体）に連結されている。
自動復帰機構５０３は、常に導通部材２７５Ｂを上方向に引き上げているバネ装置である。自動復帰機構５０３は、圧縮コイルバネ５０３ａと、圧縮コイルバネ５０３ａの上端を固定して第２シールドボックス体２４０（シールドボックス体）に連結されたシールド連結部材５０３ｂと、圧縮コイルバネ５０３ａの下端を固定して導通部材２７５Ｂに連結された導通部材連結体５０３ｃと、を備えて成る。
【０１１３】
圧縮コイルバネ５０３ａは、バネ力によって導通部材連結体５０３ｃを介して導通部材２７５Ｂを引き上げるためのバネ部材である。圧縮コイルバネ５０３ａは、上端部がシールド連結部材５０３ｂに形成されたバネ固定凹部５０３ｄに固定され、下端部が導通部材連結体５０３ｃに形成されたバネ固定凹部５０３ｅに固定されている。
シールド連結部材５０３ｂは、上端部を第２シールドボックス体２４０の下端部に固定し、下端部に有底円筒状のバネ固定凹部５０３ｄを有する部材である。
導通部材連結体５０３ｃは、下端部を導通部材２７５Ｂに固定し、上側内部の内底に圧縮コイルバネ５０３ａの下端を固定した有底円筒状の部材である。導通部材連結体５０３ｃの上部は、シールド連結部材５０３ｂのバネ固定凹部５０３ｄに進退自在に外嵌されている。
【０１１４】
このように構成しても、第２変形例の導通機構２７０Ｂは、第２及び第３シールドボックス体２４０，２５０を前後方向に移動させた際に、その移動に連動するスライドバー２７１Ｂによって、スライド昇降機構５００を介して導通部材２７５Ｂを上昇・下降させることで、導通部材２７５Ｂを導電性床板３２０に接触・離間させることができる。
【０１１５】
［第３変形例］
次に、図２７を参照して本発明の第３変形例を説明する。
図２７は、本発明の実施形態に係る電波シールド構造の第３変形例を示す図であり、導通機構を示す要部概略図である。
【０１１６】
また、導通機構２７０Ｃは、第２及び第３シールドボックス体２４０，２５０を前後方向に移動させた際に、その移動に連動するスライドバー２７１Ｃによって、クランク機構６００を介して導通部材２７５Ｃを上昇・下降させることで、導通部材２７５Ｃを導電性床板３２０に接触・離間させてもよい（図１９参照）。
【０１１７】
スライドバー２７１Ｃは、第２及び第３シールドボックス体２４０，２５０（図１９参照）に、少なくとも前後方向及び上下方向に所定距離だけ移動可能に支持されている。
導通機構２７０Ｃは、スライドバー２７１Ｃに軸支されたクランク６０１（作動部）と、上端をクランク６０１に軸支されたロッド６０２（被作動部）と、ロッド６０２に連結された導通部材２７５Ｃと、を備えたクランク機構６００から成る。
【０１１８】
クランク６０１は、上端部をスライドバー２７１Ｃに揺動自在に連結し、下端部をロッド６０２に揺動自在に連結した円板状部材または平板状部材から成る。なお、クランク６０１は、そのほか、平板状部材と、この円板状部材につなげたリンク機構と、を備えたものであってもよい。
ロッド６０２は、上端部がクランク６０１の下端部と共に、クランク６０１の上端部を中心として回動し、下端部がその回動によって上下動するスライダの役目を果している。クランク６０１及びロッド６０２は、第２及び第３シールドボックス体２４０，２５０（図１９参照）を後退させて収納状態にしたときに、図２７に実線で示すように、ロッド６０２が傾いた状態に配置されている。そして、クランク６０１及びロッド６０２は、第２及び第３シールドボックス体２４０，２５０（図１９参照）を前進させて展開状態にしたときに、図２７に二点鎖線で示すように、ロッド６０２が垂直になって下降した状態に配置される。
導通部材２７５Ｃには、ロッド６０２の下端に回動自在に連結するための導通部材連結部２７５Ｃａが設けられている。
【０１１９】
このように構成しても、第３変形例の導通機構２７０Ｃは、第２及び第３シールドボックス体２４０，２５０を前後方向に移動させた際に、その移動に連動するスライドバー２７１Ｃによって、クランク機構６００を介して導通部材２７５Ｃを上昇・下降させることで、導通部材２７５Ｃを導電性床板３２０に接触・離間させることができる。
【０１２０】
［その他の変形例］
例えば、電波シールド装置２００の設置場所は、脳外科手術室に限定されるものではなく、他の手術室、ＭＲＩ室等の各種の場所であってもよい。
また、電波シールド装置２００の一例として、ステンレス鋼から成る電波シールドボックス集合体２２０や、導通機構２７０を例に挙げて説明したが、非磁性体の導電材料から形成されたものであればよく、例えば、鉄板や、アルミニウム合金等のスレンレス以外の材料で形成したものであってもよい。
また、キャスタ２２８は、全体をステンレス鋼等の導電性部材によって形成して、電波シールドボックス集合体２２０と、導電性床板３２０とを導通させる部品として使用してもよい。
【０１２１】
また、傾斜面２７１ｅの一例としてスライドバー２７１の下面にボルト締めした傾斜板２７１ｄに形成した場合を説明したが、傾斜面２７１ｅは、スライドバー２７１の下面に一体形成したものであってもよい。
【０１２２】
また、導通機構２７０の棒状部材２７７は、その一例として、複数の部材から成る場合を説明したが、移動するスライドバー２７１の傾斜面２７１ｅに連動して上下動すればよく、一つの部材で形成してもよい。
また、保持機構２８１，２８２は、ローラキャッチに限定されるものではなく、そのほかに、ボールキャッチ、スライドキャッチ、マグネットキャッチ等であってもよい。
【符号の説明】
【０１２３】
１００  ＭＲＩ装置（磁気共鳴イメージング装置）
２２０  電波シールドボックス集合体
２２０ａ  空間
２２１  天井シールドパネル（シールドパネル）
２２２  側面シールドパネル（シールドパネル）
２２５  下側枠フレーム
２２５ｂ  貫通孔
２２５ｃ  受部
２２８  キャスタ
２３０  第１シールドボックス体（シールドボックス体、基端側シールドボックス体、電波シールド体）
２４０  第２シールドボックス体（シールドボックス体、電波シールド体）
２４９ａ，２４９ｂ  枠フレーム
２５０  第３シールドボックス体（シールドボックス体、電波シールド体）
２６２  開口部補強枠
２７０，２７０Ａ，２７０ａ，２７０Ａａ，２７０Ａｂ，２７０Ａｃ，２７０Ａｄ，２７０Ｂ，２７０ｂ，２７０Ｃ，２７０ｃ，２７０ｄ  導通機構
２７１，２７１Ａ，２７１Ｂ，２７１Ｃ  スライドバー
２７１ａ，２７１Ａａ，２７１Ｂａ，２７１Ｃａ  第１スライドバー（スライドバー）
２７１ｂ，２７１Ａｂ  第２スライドバー（スライドバー）
２７１ｃ  当接面（作動部）
２７１ｅ  傾斜面
２７４  当接体（被作動部）
２７５，２７５Ａ，２７５Ｂ，２７５Ｃ  導通部材
２７５ｂ  床面接触部材
２７５ｅ  布状導通部材
２７７，２７７Ａ  棒状部材
２７７ｅ  付勢部材受部
２７８  長さ調整機構
２８１，２８２  保持機構
２８１ａ，２８２ａ  係止突起
２８１ｂ，２８２ｂ  弾性保持部
３１０  床面
３２０  導電性床板（導電性床材）
４００，４１０  歯車変換機構
４０１  バー連動ラック（作動部）
４０２  ピニオンギヤ
４０３  上下動用ラック（被作動部）
５００  スライド昇降機構
５０１  バー連動傾斜部材５０１（作動部）
５０２  昇降部材（被作動部）
６００  クランク機構
６０１  クランク(作動部)
６０２  ロッド（被作動部）
ＳＰ１  付勢部材
【図１】
2019088470.tif 000003
【図２】
2019088470.tif 000004
【図３】
2019088470.tif 000005
【図４】
2019088470.tif 000006
【図５】
2019088470.tif 000007
【図６】
2019088470.tif 000008
【図７】
2019088470.tif 000009
【図８】
2019088470.tif 000010
【図９】
2019088470.tif 000011
【図１０】
2019088470.tif 000012
【図１１】
2019088470.tif 000013
【図１２】
2019088470.tif 000014
【図１３】
2019088470.tif 000015
【図１４】
2019088470.tif 000016
【図１５】
2019088470.tif 000017
【図１６】
2019088470.tif 000018
【図１７】
2019088470.tif 000019
【図１８】
2019088470.tif 000020
【図１９】
2019088470.tif 000021
【図２０】
2019088470.tif 000022
【図２１】
2019088470.tif 000023
【図２２】
2019088470.tif 000024
【図２３】
2019088470.tif 000025
【図２４】
2019088470.tif 000026
【図２５】
2019088470.tif 000027
【図２６】
2019088470.tif 000028
【図２７】
2019088470.tif 000029